(57)【要約】【課題】部品点数を増加させることなく、装置フレームを小型化、薄型化した場合でも、作業性の悪化を招くことなく、押さえバネを装置フレームに固定することができる光ヘッド装置を提供すること。【解決手段】装置フレーム２は、センサレンズ５６に係合してこのセンサレンズ５６を装置フレーム２に仮保持させる板ばね６０が係合し、この板ばね６０を装置フレーム２に支持させる凹部２００を有している。故に、凹部２００を利用することで板ばね６０を装置フレーム２に支持させることができる。従って、板ばね６０を装置フレーム２に固定するためにネジのような固定具を用いる必要がないので、部品点数を増加させることなく、装置フレーム２を小型化、薄型化した場合でも、作業性の悪化を招くことなく、板ばね６０を装置フレーム２に固定することができる。【選択図】  図７
2007207297.tif 000002
【特許請求の範囲】
【請求項１】
光記録媒体に対する情報の再生または／および記録を行うための複数の部品が装置フレームに搭載された光ヘッド装置において、
前記装置フレームは、前記部品に係合して該部品を前記装置フレームに仮保持させる仮保持部材が係合し、該仮保持部材を前記装置フレームに支持させる凹部を有することを特徴とする光ヘッド装置。
【請求項２】
請求項１において、装置フレームには、前記部品としての光学素子が取り付けられる取り付け面を有し、該取り付け面の近傍位置に前記凹部を配設することにより、前記装置フレームを成形する際の取り付け面の歪みを抑制させたことを特徴とする光ヘッド装置。
【請求項３】
請求項２において、前記凹部は、前記装置フレームの高さ方向における上面または下面に開口し、前記装置フレームの高さ方向に延設された、有底溝部または貫通孔であって、前記取り付け面が前記凹部の延設方向に沿って形成されていることを特徴とする光ヘッド装置。
【請求項４】
請求項３において、前記凹部を挟んで前記取り付け面に取り付けられた受光素子と、前記部品としてのセンサレンズとが対向配置されていることを特徴とする光ヘッド装置。
【請求項５】
請求項２ないし４のいずれかにおいて、前記装置フレームは、ダイカストによって形成されていることを特徴とする光ヘッド装置。
【請求項６】
請求項１ないし５のいずれかにおいて、前記仮保持部材は、付勢力によって前記凹部に係合して自らを前記装置フレームに支持させる付勢部を有することを特徴とする光ヘッド装置。
【請求項７】
請求項２ないし６のいずれかにおいて、前記仮保持部材は、前記取り付け面側の方向に押圧し、前記部品を前記装置フレームに仮保持させる押圧部を有することを特徴とする光ヘッド装置。
【請求項８】
請求項６または７において、前記仮保持部材は、前記付勢部および前記押圧部を共に備えた１枚の金属板によって形成されていることを特徴とする光ヘッド装置。
【請求項９】
請求項１ないし８のいずれかにおいて、前記仮保持部材は、前記装置フレームまたは前記部品に接着固定されていることを特徴とする光ヘッド装置。
【発明の詳細な説明】
【技術分野】
【０００１】
本発明は、ＣＤやＤＶＤなどの光記録媒体の再生または／および記録を行う光ヘッド装置にするものである。
【背景技術】
【０００２】
ＣＤやＤＶＤなどの光記録ディスク（光記録媒体）の再生、記録に用いられる光ヘッド装置では、複数の光学素子が装置フレームに搭載されており、これらの光ヘッド装置を構成する光学素子の中には、位置調整を行った後、接着剤を用いて固定する場合が多い。このような光学素子としては、例えば、センサレンズがあり、センサレンズを装置フレームの支持面に固定するには、センサレンズを装置フレームに対して、Ｚ方向（光軸方向における位置）に位置調整した後、この状態で、センサレンズと装置フレームとを接着固定させている。なお、位置調整においては、センサレンズを押さえバネによって支持面方向に押圧させた、所謂仮固定状態で行っている（例えば、特許文献１参照）。
【特許文献１】特開２０００−２６６９７７号公報
【発明の開示】
【発明が解決しようとする課題】
【０００３】
しかしながら、押さえバネを装置フレームへ固定するための方法としては、ネジ固定が一般的であり、部品点数が増加するという問題がある。また、近年、装置フレームの小型化および薄型化に伴って、押さえバネを固定するネジも小型化されており、小型のネジによる固定作業は、作業性が悪いという問題がある。
【０００４】
以上の問題点に鑑みて、本発明の課題は、部品点数を増加させることなく、装置フレームを小型化、薄型化した場合でも、作業性の悪化を招くことなく、押さえバネを装置フレームに固定することができる光ヘッド装置を提供することにある。
【課題を解決するための手段】
【０００５】
上記課題を解決するために、本発明では、光記録媒体に対する情報の再生または／および記録を行うための複数の部品が装置フレームに搭載された光ヘッド装置において、前記装置フレームは、前記部品に係合して該部品を前記装置フレームに仮保持させる仮保持部材が係合し、該仮保持部材を前記装置フレームに支持させる凹部を有することを特徴とする。
【０００６】
本発明において、装置フレームには、前記部品としての光学素子が取り付けられる取り付け面を有し、該取り付け面の近傍位置に前記凹部を配設することにより、前記装置フレームを成形する際の取り付け面の歪みを抑制させることが好ましい。このように構成すると、仮保持部材の装置フレームに支持させる凹部を利用することにより、光学素子の取り付け面の歪みを抑制するための肉盗みとしての凹部を別途設ける必要がない。故に、装置フレームの強度を確保することができる。
【０００７】
本発明において、例えば、前記凹部は、前記装置フレームの高さ方向における上面または下面に開口し、前記装置フレームの高さ方向に延設された、有底溝部または貫通孔であって、前記取り付け面が前記凹部の延設方向に沿って形成されていることが好ましい。例えば、前記凹部を挟んで前記取り付け面に取り付けられた受光素子と、前記部品としてのセンサレンズとが対向配置されている。また、前記装置フレームが、ダイカストによって形成された場合であっても、凹部によって光学素子の取り付け面の歪みを抑制することができる。
【０００８】
本発明において、前記仮保持部材は、付勢力によって前記凹部に係合して自らを前記装置フレームに支持させる付勢部を有していることが好ましい。また、前記仮保持部材は、前記部品が取り付けられる取り付け面側の方向に押圧し、前記部品を前記装置フレームに仮保持させる押圧部を有していることが好ましい。特に、前記仮保持部材は、前記付勢部および前記押圧部を共に備えた１枚の金属板によって形成されていることが好ましい。このように構成すると、金属板はバネ性を備えており、適宜に折曲して係合させることにより、仮保持部材を付勢力によって装置フレームに支持させ、また、部品を取り付け面の方向に押圧して装置フレームに容易に仮保持させることができる。
【発明の効果】
【０００９】
本発明においては、装置フレームは、部品に係合してこの部品を装置フレームに仮保持させる仮保持部材が係合し、この仮保持部材を装置フレームに支持させる凹部を有している。故に、凹部を利用することで仮保持部材を装置フレームに支持させることができる。従って、仮保持部材を装置フレームに固定するためにネジのような固定具を用いる必要がないので、部品点数を増加させることなく、装置フレームを小型化、薄型化した場合でも、作業性の悪化を招くことなく、仮保持部材を装置フレームに固定することができる。
【発明を実施するための最良の形態】
【００１０】
以下に図面を参照して、本発明を適用した光ヘッド装置について説明する。なお、以下に説明する形態は、装置フレームに搭載した複数の部品のうち、センサレンズを装置フレームに搭載するにあたって本発明を適用した例である。なお、以下の説明では、対物レンズが見える側を上面とし、その反対側を下面としてある。
【００１１】
［全体構成］
図１は、本発明を適用した光ヘッド装置の平面図である。図２および図３は各々、図１に示す光ヘッド装置から金属カバーおよび駆動用ＩＣから対物レンズ駆動装置側に向けて延びた可撓性基板を外した状態の平面図および底面図である。
【００１２】
図１〜図３に示す本形態の光ヘッド装置１は、ＣＤおよびＤＶＤ等の光記録媒体に対する情報の再生または／および記録を行うものである。光ヘッド装置１は、マグネシウムなどのダイカスト品からなる金属製の装置フレーム２を有しており、この装置フレーム２の両端の各々には、ディスク駆動装置のガイド軸や送りねじ軸１１が係合する第１の軸受部２１および第２の軸受部２２が形成されている。装置フレーム２の一方側の側面は、ディスク駆動機構のスピンドルモータ（図示せず）に接近した際の干渉を防止するために円弧状に湾曲している。
【００１３】
装置フレーム２の上面側では略中央に対物レンズ９１が位置し、対物レンズ９１に対して第１の軸受部２１が位置する側には薄い金属カバー８が被せられている。金属カバー８は、装置フレーム２の上面を覆う上板部８１と、この上板部８１の一方の側端縁から下方に屈曲して装置フレーム２の側面に形成されている突起２８に係合する側板部８２とを有しており、上面部に形成された小穴８３には、装置フレーム２から上方に突出した位置決め突起２９が嵌っている。
【００１４】
本形態の光ヘッド装置１は、波長が６５０ｎｍ帯の第１のレーザ光（赤色光）、および波長が７８０ｎｍ帯の第２のレーザ光（赤外光）を用いてＤＶＤ系ディスクおよびＣＤ系ディスクに対する情報の記録、再生が可能な２波長光ヘッド装置である。このため、装置フレーム２上には、第１のレーザ光を出射するＡｌＧａＩｎＰ系のレーザダイオードと、第２のレーザ光を出射するＡｌＧａＡｓ系のレーザダイオードとを一体に備えたツインレーザ光源３０を備えた光源装置３が搭載されている。ここで、ツインレーザ光源３０は、光源ホルダ３５に搭載されており、この光源ホルダ３５は、装置フレーム２の垂直壁２０９に当接した状態にある。
【００１５】
このような構成の光源装置３から出射される第１のレーザ光および第２のレーザ光は、光源装置３から光記録ディスクに向かう光路に配置された複数の光学素子からなる共通の光学系を介して光記録ディスクであるＤＶＤ系ディスクあるいはＣＤ系ディスクに導かれ、この光学系を構成する光学素子も装置フレーム２上に搭載されている。また、光記録ディスクからの戻り光も、共通の光学系を介して共通の信号検出用受光素子４０に導かれ、かかる戻り光に対する光路を規定する光学素子、および信号検出用受光素子４０も装置フレーム２に搭載されている。
【００１６】
本形態の光ヘッド装置１において、共通の光学系には、光源装置３から出射された第１および第２のレーザ光をトラッキング検出用に３ビームに回折する回折素子５１と、回折素子５１により３ビームに分離したレーザ光を部分透過させる偏光ビームスプリッタ５２と、偏光ビームスプリッタ５２から出射されたレーザ光を平行光にするコリメートレンズ５４と、この平行光を光記録ディスクに向けて立ち上げる立ち上げミラー５５と、立ち上げミラー５５からのレーザ光を光記録ディスクの記録面に収束させる対物レンズ９１とが含まれている。ここで、偏光ビームスプリッタ５２とコリメートレンズ５４との間には波長板５３が配置されている。また、共通の光学系には、光記録ディスクの記録面で反射された後に、立ち上げミラー５５、コリメートレンズ５４および波長板５３を経て偏光ビームスプリッタ５２で反射した第１および第２のレーザ光の戻り光に非点収差を付与するためのセンサレンズ５６も含まれている。なお、偏光ビームスプリッタ５２に対して信号検出用受光素子４０とは反対側にはモニター用受光素子５７が配置されている。
【００１７】
対物レンズ９１は、対物レンズ駆動機構９によってトラッキング方向およびフォーカシング方向の位置がサーボ制御されるようになっており、このような対物レンズ駆動機構９も装置フレーム２に搭載されている。本形態では、対物レンズ駆動機構９としてワイヤサスペンション方式のものを用いており、かかる対物レンズ駆動機構９としては周知のものを用いることができるので、詳細な説明を省略するが、対物レンズ９１を保持しているレンズホルダと、このレンズホルダを複数本のワイヤでトラッキング方向およびフォーカシング方向に移動可能に支持しているホルダ支持部９３と、装置フレーム２に固定されたヨークとを備えている。また、対物レンズ駆動機構９は、レンズホルダに取り付けられた駆動コイルと、ヨークに取り付けられた駆動マグネットにより構成される磁気駆動回路を備えており、駆動コイルに対する通電を制御することにより、レンズホルダに保持された対物レンズ９１を光記録ディスクに対してトラッキング方向およびフォーカシング方向に駆動する。なお、対物レンズ駆動機構９は、対物レンズ９１のジッタ方向の傾きを調整するチルト制御も可能である。なお、対物レンズ９１の周りは、矩形枠状のレンズカバー９０で囲まれている。
【００１８】
このように構成した光ヘッド装置１において、光源装置３０から出射された第１および第２のレーザ光は、回折素子５１を透過した後、一部が偏光ビームスプリッタ５２の部分反射面を透過した後、波長板５３で偏光方向が１／４λ分だけ回転した後、コリメートレンズ５４に向かう。そして、コリメートレンズ５４で平行光化されたレーザ光は、立ち上げミラー５５でその光軸が９０度折り曲げられて対物レンズ９１に向かう。その際、ツインレーザ光源３０から出射された第１および第２のレーザ光の一部は、偏光ビームスプリッタ５２の部分反射面で反射して、モニター用受光素子５７に導かれる。このモニター用受光素子５７でのモニター結果は、後述するように、可撓性基板７１に実装された駆動用ＩＣ６を介してツインレーザ光源３０にフィードバックされ、ツインレーザ光源３０から出射されるレーザ光の強度が制御される。
【００１９】
一方、光記録ディスクからの戻り光は、対物レンズ９１、立ち上げミラー５５を逆に戻り、コリメートレンズ５４、波長板５３、偏光ビームスプリッタ５２を介してセンサレンズ５６に向けて出射され、このセンサレンズ５６によって非点収差が付与された後、信号検出用受光素子４０に入射し、信号検出用受光素子４０で検出される。この信号検出用受光素子４０で検出される戻り光には、第１および第２のレーザ光が回折素子５１で回折された３ビームが含まれており、例えば、３ビームのうち、０次光からなるメインビームよって信号の再生が行われるとともに、±１次回折光からなるサブビームの検出結果を用いて対物レンズ９１のフォーカシングエラー信号やトラッキングエラー信号の検出が行われる。このようにして検出されたフォーカシングエラー信号やトラッキングエラー信号の検出結果に基づいて、駆動用ＩＣ６は対物レンズ駆動機構９を制御する。
【００２０】
このように、本形態の光ヘッド装置１では、共通の対物レンズ９１により第１のレーザ光および第２のレーザ光による記録、再生を行うため、対物レンズ９１については、同心円状の溝や段差により回折格子が形成された２波長レンズが用いられている。このため、本形態によれば、対物レンズ９１を共用しても、第１のレーザ光および第２のレーザ光の双方について、表面保護層の厚さが異なる記録層を備えた光記録ディスクに対応することができる。
【００２１】
本形態の光ヘッド装置１において、駆動用ＩＣ６、光源装置３、信号検出用受光素子４０およびモニター用受光素子５７に電源や信号供給を行うために、基材がポリイミドなどからなる複数枚の可撓性基板が用いられている。これらの可撓性基板のうち、最も大きなメインの可撓性基板７１の下面には、ツインレーザ光源３０に対する駆動や制御などを行う駆動用ＩＣ６が実装されている。また、メインの可撓性基板７１の端部７１１は、モニター用受光素子５７の側に接続されている。サイズの小さな３枚のサブの可撓性基板のうち、サブの可撓性基板７２は、可撓性基板７１の上面に重ねて配置され、かつ、一方端がメインの可撓性基板７１に接続される一方、他方端は、光源装置３の側に接続されている。他のサブの可撓性基板７４は、可撓性基板７１の端部７１２の上面に一方端が重ねて配置され、他方端は途中で折り曲げられて対物レンズ駆動機構９のホルダ支持部９３の背後に配置された配線基板９４に接続される。ここで、サブの可撓性基板７４は、一方端から他方端（対物レンズ駆動機構９の回路基板への接続部分）に向かう途中に幅広部分７４１を備えており、この幅広部分７４１は、対物レンズ駆動機構９のホルダ支持部９３においてサスペンションワイヤの根元部分に構成されたゲルポット９６を覆い、ゲルポット９６に対するカバーとしても機能している。さらに、図４（ａ）、（ｂ）を参照して後述する他のサブの可撓性基板７５（図１〜図３では図示せず）は、可撓性基板７１の下面に重ねて配置され、一方端がメインの可撓性基板７１に接続される一方、他方端は途中で折り曲げられて信号検出用受光素子４０の側に接続される。
【００２２】
このように構成した可撓性基板を装置フレーム２上に搭載するにあたって、メインの可撓性基板７１において対物レンズ駆動機構９の側方に位置する端部７１２には、ガラス−エポキシ基板や金属板などからなる略三角形の補強板７５が接着固定されている。ここで、補強板７５には穴が形成されている一方、装置フレーム２において、可撓性基板７１を重ねた際に補強板７５の穴と重なる位置にはねじ穴が形成されている。従って、メインの可撓性基板７１を装置フレーム２に重ねて配置する際、補強板７５の穴および装置フレーム２のねじ穴を利用して、可撓性基板７１の端部７１２を装置フレーム２に対して金属製のねじ７６により固定する。また、メインの可撓性基板７１において、補強板７５を設けた側とは反対側の端部７１３には、装置フレーム２に２本の金属製のねじ７７により固定される固定部分７１４が形成されている。ここで、固定部分７１４は、可撓性基板７１のみが存在し、補強板が接着固定されていない。従って、可撓性基板７１に形成されたグランドパターンは、端部７１３において装置フレーム２に電気的に接続され、固定部分７１４はグランド用の接点として機能する。このような構成の可撓性基板７１は、端部７１２、７１２をねじ７６、７７で装置フレーム２に固定すると、装置フレーム２に平伏した状態に固定され、かつ、金属カバー８を被せなくても、この平伏状態を保持することができる。このため、可撓性基板７１の形状復帰力が金属カバー８に加わることがないので、可撓性基板７１の形状復帰力が金属カバー８を介して装置フレーム２に作用するということがない。従って、装置フレーム２が変形することがなく、光学素子の位置ずれに起因する光軸ずれの発生を防止することができるなどの効果を奏する。
【００２３】
［信号検出用受光素子およびセンサレンズの搭載構造］
図４（ａ）、（ｂ）は、図１に示す光ヘッド装置における装置フレームに対する信号検出用受光素子の実装構造を斜め後方からみたときの説明図、および斜め前方からみたときの説明図である。図５は、図１に示す光ヘッド装置に用いた受光素子ホルダの説明図である。図６（ａ）、（ｂ）は、図１に示す光ヘッド装置において、装置フレームに対して信号検出用受光素子を搭載するときの位置決め工程の様子を示す説明図である。図７（ａ）、（ｂ）は、図３に示す光ヘッド装置において、センサレンズの周辺を拡大して示す説明図、および（ａ）において、板ばねを凹部に装着した状態を示す説明図である。図８（ａ）、（ｂ）は、板ばねを斜め上方からみた時の斜視図、および斜め下方から見たときの斜視図である。
【００２４】
図４（ａ）、（ｂ）に示すように、本形態の光ヘッド装置１において、信号検出用受光素子４０は、略矩形の平板状であり、樹脂製あるいは金属製の受光素子ホルダ４５を介して装置フレーム２の側壁面２５に固定されている。ここで、装置フレーム２の側壁面２５では、信号検出用受光素子４０を搭載すべき領域の両側に装置フレーム２の一部２６、２７が張り出しており、かつ、その上方にはメインの可撓性基板７１の引き出し部分が位置しており、スペース的な余裕がない。
【００２５】
そこで、本形態では、図４（ａ）、（ｂ）および図５に示す構造の受光素子ホルダ４５が用いられており、この受光素子ホルダ４５は、前面が装置光軸と直交するように装置フレーム２の側壁面２５に接着固定される固定板部４５１と、この固定板部４５１の背面側で信号検出用受光素子４０を搭載する素子搭載部４５５と、この素子搭載部４５５を間に挟む両側領域のうち、固定板部４５１の左右の外周端から所定距離を隔てた内側位置で固定板部４５１の背面側から後方に向けて突出した一対の突起４５６、４５７とを備えている。ここで、突起４５６、４５７は、互い円弧状に屈曲した形状を備え、その外側端部は直線的に切り欠かれた形状になっている。
【００２６】
固定板部４５１は、全体として略長方形の平面形状を備え、短辺が装置フレーム２の高さ方向に延びるように接着固定されている。従って、一対の突起４５６、４５７は、装置フレーム２の高さ方向と直交する方向で相対向していることになる。固定板部４５１の中央にはセンサレンズ５６から信号検出用受光素子４０に向けて戻り光が通る透孔４５２が形成されている。また、固定板部４５１の外周縁には、４つの角部部分が切り欠かれて内側に仮止め用の接着剤が塗布される凹部４５８が形成されている。
【００２７】
素子搭載部４５５は、一対の突起４５６、４５７の間に形成された凹部であり、この凹部の内部において、信号検出用受光素子４０は、略同一サイズの配線基板４１が背面側に接合された状態で素子搭載部４５５に接着固定されている。また、信号検出用受光素子４０に接続するサブの可撓性基板７５の端部は、配線基板４１の背後で間に補強板７８を挟んで複数回、折り畳まれた状態にある。補強板７８および可撓性基板７５の折り畳み部分は、信号検出用受光素子４０および配線基板４１よりもサイズが大きく、受光素子ホルダ４５の突起４５６、４５７に一部被さった状態にある。
【００２８】
また、図７に示すように、センサレンズ５６を装置フレーム２に搭載するため装置フレーム２には、センサレンズ搭載部２０５が形成されており、このセンサレンズ搭載部２０５は、信号検出用受光素子４０やセンサレンズ５６の光軸に対して平行な第１の位置決め面２０３ａ、第２の位置決め面２０３ｂ、および第１の位置決め面２０３ａと第２の位置決め面２０３ｂとの間であって、これら第１の位置決め面２０３ａおよび第２の位置決め面２０３ｂより一段低く形成された段部２０４により構成されている。なお、この段部２０４は、センサレンズ５６の後述する本体が遊嵌され、光軸方向にスライド可能に形成されている。
【００２９】
一方、センサレンズ５６は、直方体の本体にレンズが形成され、この本体からそれぞれ左右方向に突出した第１の取り付け部５６ａおよび第２の取り付け部５６ｂを有している。この第１の取り付け部５６ａおよび第２の取り付け部５６ｂにおいて、第１の位置決め面２０３ａおよび第２の位置決め面２０３ｂに面接触された側の面は、レンズ光軸に対して平行に形成されている。そのため、この第１の位置決め面２０３ａおよび第２の位置決め面２０３ｂに面接触された側の面を、それぞれ第１の位置決め面２０３ａおよび第２の位置決め面２０３ｂに面接触状態でスライドさせると、センサレンズ５６をレンズ光軸に沿って移動させることができる。
【００３０】
また、第１の取り付け部５６ａおよび第２の取り付け部５６ｂにおいて、第１の位置決め面２０３ａおよび第２の位置決め面２０３ｂに面接触された側の面と反対側の面には、仮保持部材としての板ばね６０が付勢状態で当接されている。すなわち、板ばね６０でセンサレンズ５６を装置フレーム２に仮固定した状態においては、センサレンズ５６は、板ばね６０により、第１の取り付け部５６ａおよび第２の取り付け部５６ｂが、それぞれ第１の位置決め面２０３ａおよび第２の位置決め面２０３ｂに向けて弾性をもって押圧されている。
【００３１】
本形態では、板ばね６０を装置フレーム２に搭載するために、装置フレーム２には、センサレンズ搭載部２０５と装置フレーム２の側壁面２５との間に装置フレーム２の上面側に開口し、装置フレーム２の高さ方向に延設された有底溝部としての凹部２００が形成されている。この凹部２００は、互いに光軸方向に対向する第１の対向面２０２および第２の対向面２０３と、第１の対向面２０２と第２の対向面２０３とに連結された底部２０１とによって構成されている。なお、本形態の場合、側壁面２５が、光学素子としての信号検出用受光素子４０が取り付けられる取り付け面になっており、凹部２００は、装置フレーム２を成形する際の歪みを抑制可能な深さに形成されている。
【００３２】
一方、板ばね６０は、図８に示すように、金属の薄板を折曲することにより形成されており、底面６２の両端から略平行に折曲された第１の折曲部６１、第２の折曲部６３と、第２の折曲部の先端から略直交方向に折曲され、互いに略平行に延設された第１の舌片６３ａ、および第２の舌片６３ｂとから構成されている。なお、第１の折曲部６１および第２の折曲部６３は、第１の舌片６３ａと第２の舌片６３ｂとの間に切り欠き６４が形成されている。
【００３３】
ここで、板ばね６０を装置フレーム２に仮固定するにあたっては、第１の折曲部６１、および第２の折曲部６３を凹部２００内に配設することによりなされる。すなわち、第１の折曲部６１、および第２の折曲部６３を両側から押圧した状態で凹部２００内に嵌入することにより、第１の折曲部６１、および第２の折曲部６３が第１の対向面２０２、および第２の対向面２０３に弾性力により当接することにより仮固定される。
【００３４】
また、センサレンズ５６を装置フレーム２に仮固定させるにあたっては、センサレンズ５６を板ばね６０により押圧することによりなされる。具体的には、第１の取り付け部５６ａおよび第２の取り付け部５６ｂにおいて、第１の位置決め面２０３ａ、および第２の位置決め面２０３ｂに面接触された側の面と反対側の面に、仮固定された板ばね６０の第１の舌片６３ａ、および第２の舌片６３ｂがそれぞれ上方から当接される。このため、センサレンズ５６は、第１の位置決め面２０３ａおよび第２の位置決め面２０３ｂに向けて押圧される結果、センサレンズ５６の第１の取り付け部５６ａは、センサレンズ搭載部２０５の第１の位置決め面２０３ａに対して弾性をもって押圧されるとともに、第２の取り付け部５６ｂは、第２の位置決め面２０３ｂに対して弾性をもって押圧されることにより仮固定される。なお、この状態において、すなわち、センサレンズ５６を板ばね６０により装置フレーム２に仮固定された状態において、板ばね６０に形成された切り欠き６４は、レーザダイオードからの出射光が、センサレンズ５６を通過した後、信号検出用受光素子４０に入射可能な位置に形成されている。
【００３５】
［信号検出用受光素子およびセンサレンズの位置決め方法］
このように構成した受光素子ホルダ４５を介して信号検出用受光素子４０を装置フレーム２に搭載するには、まず、図６（ａ）、（ｂ）に示すように、受光素子ホルダ４５の背面側において一対の突起４５６、４５７の間に形成された素子搭載部４５５に信号検出用受光素子４０を接着固定する。ここで、図６（ａ）では、サブの可撓性基板７５および補強板７８については図示を省略してあるが、信号検出用受光素子４０は、図６（ｂ）に示すように、サブの可撓性基板７５および補強板７８とともに受光素子ホルダ５４に搭載される。
【００３６】
次に、素子ホルダ４５の突起４５６、４５７を両側から素子ホルダ把持具４７、４８で把持する一方、先に装置フレーム２に搭載したツインレーザ光源３０を点灯させ、擬似ディスクなどからの戻り光の信号検出用受光素子４０での受光結果を監視しながら、素子ホルダ把持具４７、４８によって受光素子ホルダ４５のＸ−Ｙ方向（面内位置）、Ｚ方向（光軸方向における位置）、θｘ（光軸周りの角度位置）、θy（傾き）を調整し、信号検出用受光素子４０を装置フレーム２に対して位置決めする。ここで、素子ホルダ把持具４７、４８は、先端部がＬ字形に屈曲したホルダ当接部４７１、４８１を備えており、サブの可撓性基板７５および補強板７８と干渉しない形状になっている。また、素子ホルダ把持具４７、４８は、装置フレーム２とも干渉しない形状や寸法になっている。
【００３７】
このような方法で信号検出用受光素子４０の位置決めを行った後は、図６（ａ）に示すように、受光素子ホルダ５４と素子ホルダ把持具４７、４８の間から固定板部４５１の貫通孔４５９に向けてノズル４９を差し込み、貫通孔４５９の内部に接着剤を塗布し、固化させる。その結果、受光素子ホルダ４５は装置フレーム２に固定される。
【００３８】
その後、センサレンズ５６を装置フレーム２に搭載するために、まず、センサレンズ５６をセンサレンズ搭載部２０５に配置し、板ばね６０によって仮固定させる。本形態の場合、板ばね６０もまた装置フレーム２に仮固定されており、センサレンズ５６の板ばね６０による仮固定と板ばね６０のフレーム２への仮固定とを同時に行っている。その結果、センサレンズ５６の第１の取り付け部５６ａは、センサレンズ搭載部２０５の第１の位置決め面２０３ａに対して弾性をもって押圧されて位置決めされ、第２の取り付け部５６ｂは、第２の位置決め面２０３ｂに対して弾性をもって押圧されて位置決めされるので、受光素子の光軸とセンサレンズの光軸が一致する。なお、センサレンズ５６の装置フレーム２に対する仮固定に関しては、上記順序とは逆に行うようにしてもよい。すなわち、始めに、センサレンズ５６を装置フレーム２に仮固定させ、その後、受光素子ホルダ４５は装置フレーム２に接着固定させてもよい。
【００３９】
次に、例えば、ツインレーザ光源３０の２種類のレーザダイオードのうち、いずれか一方側を点灯させ、それを信号検出用受光素子４０でモニターしながら、センサレンズ５６を光軸方向に移動させて光軸方向におけるセンサレンズ５６の位置を調整する。しかる後に、板ばね６０の第１の舌片６３ａを装置フレーム２およびセンサレンズ５６に、接着剤６３０および接着剤５６０によって接着固定するとともに、第２の舌片６３ｂを、装置フレーム２およびセンサレンズ５６に、接着剤６３０および接着剤５６０によって接着固定する。この接着固定により、センサレンズ５６および板ばね６０が装置フレーム２に本固定されることになる。
【００４０】
（本形態の主な効果）
以上説明したように、本形態においては、装置フレーム２は、センサレンズ５６に係合してこのセンサレンズ５６を装置フレーム２に仮保持させる板ばね６０が係合し、この板ばね６０を装置フレーム２に支持させる凹部２００を有している。故に、凹部２００を利用することで板ばね６０を装置フレーム２に支持させることができる。従って、板ばね６０を装置フレーム２に固定するためにネジのような固定具を用いる必要がないので、部品点数を増加させることなく、装置フレーム２を小型化、薄型化した場合でも、作業性の悪化を招くことなく、板ばね６０を装置フレーム２に固定することができる。
【００４１】
また、本形態において、装置フレーム２は、マグネシウムなどの金属からなるダイカスト品であるが、信号検出用受光素子４０が取り付けられる側壁面２５の近傍位置に凹部２００が配設されている。故に、板ばね６０を装置フレーム２に支持させる凹部２００を利用することにより、側壁面２５の歪みを抑制するための肉盗みを別途設ける必要がない。従って、装置フレーム２の強度を確保することができる。
【００４２】
［その他の実施の形態］
なお、上述の実施の形態は、本発明の好適な実施の形態の例であるが、これに限定されるものではなく、本発明の主旨を逸脱しない範囲において、種種変形実施可能である。例えば、上述の実施の形態では、凹部２００が上面に開口した有底溝部であるが、凹部２００が下面に開口した有底溝部であってもよいし、装置フレーム２の上面から下面に貫通した貫通孔であってもよい。
【００４３】
また、上述の実施の形態では、信号検出用受光素子４０の位置調整を行ってフレーム２に固定させた後、センサレンズ５６の位置調整を行ってフレーム２に固定させているが、この順序は適宜変更可能である。例えば、信号検出用受光素子４０の位置調整とセンサレンズ５６の位置調整とを同時に行い、その後、信号検出用受光素子４０とセンサレンズ５６とをフレーム２に固定させてもよい。
【００４４】
さらに、上述の実施の形態では、装置フレーム２０が、マグネシウムなどの金属からなるダイカスト品である場合に本発明を適用したが、装置フレーム２０が、樹脂に射出成形された形成品である場合に本発明を適用してもよい。
【図面の簡単な説明】
【００４５】
【図１】本発明を適用した光ヘッド装置の平面図である。
【図２】図１に示す光ヘッド装置から金属カバーおよび駆動用ＩＣから対物レンズ駆動装置側に向けて延びた可撓性基板を外した状態の平面図である。
【図３】図１に示す光ヘッド装置から金属カバーおよび駆動用ＩＣから対物レンズ駆動装置側に向けて延びた可撓性基板を外した状態の底面図である。
【図４】（ａ）、（ｂ）は、図１に示す光ヘッド装置における装置フレームに対する信号検出用受光素子の実装構造を斜め後方からみたときの説明図、および斜め前方からみたときの説明図である。
【図５】図１に示す光ヘッド装置に用いた受光素子ホルダの説明図である。
【図６】（ａ）、（ｂ）は、図１に示す光ヘッド装置において、装置フレームに対して信号検出用受光素子を搭載するときの位置決め工程の様子を示す説明図である。
【図７】（ａ）、（ｂ）は、図３に示す光ヘッド装置において、センサレンズの周辺を拡大して示す説明図、および（ａ）において、板ばねを凹部に装着した状態を示す説明図である。
【図８】（ａ）、（ｂ）は、板ばねを斜め上方からみた時の斜視図、および斜め下方から見たときの斜視図である。
【符号の説明】
【００４６】
１  光ヘッド装置
２  装置フレーム
２５  装置フレームの側壁面
３０  ツインレーザ光源（発光素子）
４０  信号検出用受光素子（受光素子）
５６  センサレンズ
６０  板ばね（仮保持部材）
６１  第１の折曲部（付勢部）
６３  第２の折曲部（付勢部）
６３ａ  第１の舌片（押圧部）
６３ｂ  第２の舌片（押圧部）
２００  凹部
【図１】
2007207297.tif 000003
【図２】
2007207297.tif 000004
【図３】
2007207297.tif 000005
【図４】
2007207297.tif 000006
【図５】
2007207297.tif 000007
【図６】
2007207297.tif 000008
【図７】
2007207297.tif 000009
【図８】
2007207297.tif 000010